【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
第１及び第２のアームであって、その近傍に延びる第１及び第２のハンドルを有する、第１及び第２のアームと、該第１及び第２のアームを結合し、及び前記ハンドルの移動時に前記第１及び第２のアームが互いに相対的に移動することを可能にする、蝶番と、前記第１及び第２のアームの遠端部から遠位へと延びる第１及び第２のフィンガと、該フィンガの各々の表面であって、該フィンガが互いに当接する際に他方のフィンガの表面に対向して該表面と接触する、第１及び第２のフィンガの各表面と、該フィンガの長さに沿って延びる、該フィンガの各々の対向する前記表面における円形の溝とを備えた拡張器具であって、前記溝の各々が、一定の曲率半径を有し、及びその長さに沿って遠位へと小さくなる深さ及び円弧長を有しており、該拡張器具が、前記対向する表面が接触している当接位置から、前記フィンガが互いに離れるよう角度をなす拡張位置であって前記溝が協働して管状の構造体を受容するよう構成された円筒形状の通路を部分的に画定する拡張位置へと、前記フィンガを移動させることができるよう構成されている、拡張器具。
【請求項２】
前記円筒形状の通路が、直円柱形状を有している、請求項１に記載の拡張器具。
【請求項３】
前記円筒形状の通路が、テーパ付けされた円筒形状の通路である、請求項１に記載の拡張器具。
【請求項４】
前記円形の溝がその長さ全体に沿って直線的な壁を有するように、前記円弧長が前記フィンガの長さに沿って遠位へと一定の割合で小さくなっている、請求項１に記載の拡張器具。
【請求項５】
前記フィンガが前記当接位置にある際に、該フィンガの遠端が協働して軸方向に閉鎖した遠端部を画定する、請求項１
に記載の拡張器具。
【請求項６】
前記フィンガの各々が、その遠端部に向かって長手方向でテーパ付けされている、請求項１に記載の拡張器具。
【請求項７】
前記第１及び第２のアームを結合する前記蝶番が、該アームの遠端部に実質的に隣接して配設され、該第１及び第２のアームが第１の平面内に配置され、前記第１及び第２のフィンガが、前記第１の平面から一定の角度をなす第２の平面内に配置されると共に、前記蝶番に実質的に隣接する前記第１及び第２のアームの遠端部から遠位へと延びている、請求項１に記載の拡張器具。
【請求項８】
前記第１及び第２のハンドルが、第１の平面内に配置され、前記第１及び第２のフィンガが、該第１の平面から20〜80°の角度をなす第２の平面内に配置されている、請求項１に記載の拡張器具。
【請求項９】
第１の平面内に配置された第１及び第２のアームであって、その近傍に延びる第１及び第２のハンドルを有する、第１及び第２のアームと、該第１及び第２のアームを結合し、該第１及び第２のアームの遠端部に実質的に隣接して配置され、及び前記ハンドルの移動時に前記第１及び第２のアームが互いに相対的に移動することを可能にする、蝶番と、前記第１の平面から一定の角度をなす第２の平面内に配置され、及び前記第１及び第２のアームの遠端部から遠位へと延びる、第１及び第２のフィンガと、該フィンガの各々の表面であって、該フィンガが互いに当接する際に他方のフィンガの表面に対向して該表面と接触する、第１及び第２のフィンガの各表面と、該フィンガの長さの相当な部分に沿って延びる、該フィンガの各々の対向する前記表面における円形の溝とを備えた拡張器具であって、前記溝の各々が、一定の曲率半径を有し、及びその長さに沿って遠位へと一定の割合で小さくなる深さ及び円弧長を有しており、該拡張器具が、前記対向する表面が接触している当接位置から、前記フィンガが互いに離れるよう角度をなす拡張位置であって、前記溝が協働して、前記円形の溝の長さに沿って前記フィンガ間に円筒形状の管状の構造体を受容し保持するよう構成された円筒形状の通路を部分的に画定する、拡張位置へと、前記フィンガを移動させることができるよう構成されている、拡張器具。
【請求項１０】
前記円筒形状の通路が、前記円形の溝の長さの相当な部分に沿って前記フィンガ間に管状の構造体を受容し保持する、請求項９に記載の拡張器具。
【請求項１１】
前記第２の平面が、前記第１の平面から20〜80°の角度をなしている、請求項９に記載の拡張器具。
【請求項１２】
前記円形の溝が、該円形の溝の長さ全体に沿って直線的な壁を有している、請求項９に記載の拡張器具。
【請求項１３】
前記第１のハンドルがフィンガグリップループからなり、前記第２のハンドルがサムグリップループからなり、前記第２の平面が前記第１の平面から20〜80°の角度をなし、前記第１のフィンガ及び前記第２のフィンガの各々がその遠端部に向かって長手方向でテーパ付けされており、前記第１及び第２のアームが、前記ハンドルと前記フィンガとの間に配設された前記蝶番によって移動可能な状態で結合されている、請求項９に記載の拡張器具。
【請求項１４】
人体内の血管その他の目標となる臓器にアクセスするための装置で使用するためのアクセス導管であって、細長い中空の管状の構造体を備えており、該中空の管状の構造体が、近端部と、遠端部に角度がついた開口を形成するよう該管状の構造体の長手軸に対して20〜80°の角度をなす該遠端部とを有し、及び内側表面に沿って長手方向の溝を有しており、該溝が、前記中空の管状の構造体の長手軸と平行であり、及び前記角度がついた開口へと延びている、アクセス導管。
【請求項１５】
前記中空の管状の構造体が、前記角度がついた開口の近端部から前記中空の管状の構造体の近端部へと長手方向に延びる下側表面を有しており、該下側表面に沿って前記溝が延びている、請求項１４に記載のアクセス導管。
【請求項１６】
前記溝が、前記中空の管状の構造体の前記角度がついた開口の近端部で終端している、請求項１４に記載のアクセス導管。
【請求項１７】
前記遠端部が、血管その他の目標となる臓器の表面に係合するよう構成された輪郭を有している、請求項１４に記載のアクセス導管。
【請求項１８】
前記輪郭が、血管その他の目標となる臓器の外側表面と一致する、請求項１７に記載のアクセス導管。
【請求項１９】
人体内へ管状部材を挿入するためのシステムであって、
第１及び第２のアームであってその近傍に延びる第１及び第２のハンドルを有する第１及び第２のアームと、該第１及び第２のアームに結合された蝶番であって前記ハンドルの移動時に該アームが互いに相対的に移動することを可能にする蝶番と、前記第１及び第２のアームの遠端部から遠位へと延びる第１及び第２のフィンガと、該フィンガの各々の表面であって該フィンガが互いに当接する際に他方のフィンガの表面と対向して接触する該フィンガの各々の表面と、該フィンガの長さに沿って延びる、該フィンガの各々の前記対向する表面における円形の溝とを備えた拡張器具であって、該円形の溝の各々が、一定の曲率半径と、その長さに沿って遠位へと小さくなる深さ及び円弧長とを有しており、該拡張器具が、前記対向する表面が接触している当接位置から、前記フィンガが互いに離れるよう角度をなす拡張位置であって、前記円形の溝が協働して、管状の構造体を受容するよう構成された円筒形状の通路を部分的に画定する拡張位置へと、前記フィンガを移動させることができるよう構成されている、拡張器具と、
近端部及び遠端部を有する細長い管状の構造体と
を備えており、該管状の構造体の外径が、拡張位置にある際に前記器具フィンガにより形成される前記円筒形状の通路と一致する大きさを有する、
人体内へ管状部材を挿入するためのシステム。
【請求項２０】
前記細長い環状の構造体が、近端部と、遠端部に角度がついた開口を形成するよう該管状の構造体の長手軸に対して20〜80°の角度をなす該遠端部とを有し、及び内側表面に沿って長手方向の溝を有しており、該溝が、前記管状の構造体の長手軸と平行であり、及び前記角度がついた開口へと延びている、請求項１９に記載のシステム。
【請求項２１】
血管その他の目標となる臓器を穿刺するための針を更に含み、該針が、前記長手方向の溝内に適合し及び該溝に沿って進行される大きさを有する、請求項２０に記載のシステム。